(57)【特許請求の範囲】
【請求項１】
時計用共振器機構（１）の周波数を前記時計用共振器機構（１）の固有周波数（ω０）付近に維持及び調節するための方法であって、
前記機構は、少なくとも１つのヒゲゼンマイ（４）又は捩り針金（４６）又は可撓性案内部材を含む少なくとも１つの弾性復元手段（４０）を含み、
周期的運動によって前記共振器機構（１）に作用する少なくとも１つのレギュレータデバイス（２）が実装されるものであり、
前記方法は、前記固有周波数（ω０）の整数倍の値の０．９〜１．１倍（前記整数は２以上１０以下である）である調節周波数（ωＲ）によって、少なくとも１つの前記弾性復元手段（４０）の剛性の実部及び／又は虚部における周期的変動を制御することにより、前記周期的運動が周期的な変調を行い、
前記周期的運動は、少なくとも１つの前記弾性復元手段（４０）の断面積の変調、及び／又は少なくとも１つの前記弾性復元手段（４０）の弾性係数の変調、及び／又は少なくとも１つの前記弾性復元手段（４０）の形状の変調、及び／又は少なくとも１つの前記弾性復元手段（４０）の取り付け地点における応力の変調を行うことにより、前記共振器機構（１）の共振周波数の周期的変調を行う
ことを特徴とする方法。
【請求項２】
前記周期的運動は、少なくとも１つの前記弾性復元手段（４０）の前記断面積の変調を行うことにより、前記共振器機構（１）の前記共振周波数の周期的変調を行うことを特徴とする、請求項１に記載の方法。
【請求項３】
前記周期的運動は、少なくとも１つの前記弾性復元手段（４０）の前記弾性係数の変調を行うことにより、前記共振器機構（１）の共振周波数の周期的変調を行うことを特徴とする、請求項１に記載の方法。
【請求項４】
前記周期的運動は、少なくとも１つの前記弾性復元手段（４０）の前記形状の変調を行うことにより、前記共振器機構（１）の共振周波数の周期的変調を行うことを特徴とする、請求項１に記載の方法。
【請求項５】
前記周期的運動は、少なくとも１つの前記弾性復元手段（４０）の前記取り付け地点における前記応力の変調を行うことにより、前記共振器機構（１）の共振周波数の周期的変調を行うことを特徴とする、請求項１に記載の方法。
【請求項６】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記ヒゲゼンマイ（４）の外側終端カーブ（１７）は、少なくとも１つの第１の取り付け地点（１９）において前記ヒゲゼンマイ（４）に固定された追加のコイル（１８）により局所的に裏張りされること；並びに
前記外側終端カーブ（１７）に関しては前記ヒゲ持ち（５）に対して、また前記追加のコイル（１８）に関しては、前記追加のコイル（１８）の前記第１の取り付け地点（１９）と反対側の端部（１８Ａ）に対して前記レギュレータデバイス（２）が作用することにより、前記外側終端カーブ（１７）及び前記追加のコイル（１８）上に反対方向に捩れが周期的に生成されること
を特徴とする、請求項１に記載の方法。
【請求項７】
前記追加のコイル（１８）は、前記外側終端カーブ（１７）と同一の可撓性を有するよう選択されることを特徴とする、請求項６に記載の方法。
【請求項８】
前記追加のコイル（１８）は、前記外側終端カーブ（１７）より高い剛性を有するよう選択されることを特徴とする、請求項６に記載の方法。
【請求項９】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記ヒゲゼンマイ（４）の外側終端カーブ（１７）は、少なくとも１つの第１の取り付け地点（１９）において前記ヒゲゼンマイ（４）に固定された追加のコイル（１８）により局所的に裏張りされること；並びに
前記追加のコイル（１８）の前記第１の取り付け地点（１９）と反対側の端部（１８Ａ）に対して、前記レギュレータデバイス（２）により運動が周期的に生成されること
を特徴とする、請求項１に記載の方法。
【請求項１０】
前記追加のコイル（１８）は、前記外側終端カーブ（１７）と同一の可撓性を有するよう選択されることを特徴とする、請求項９に記載の方法。
【請求項１１】
前記追加のコイル（１８）は、前記外側終端カーブ（１７）より高い剛性を有するよう選択されることを特徴とする、請求項９に記載の方法。
【請求項１２】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
アーム（２０）は、少なくとも１つの第２の取り付け地点（２１）において前記ヒゲゼンマイ（４）の前記外側終端カーブ（１７）に固定されること；及び
前記アーム（２０）の前記第２の取り付け地点（２１）と反対側の端部（２２）に対して、前記レギュレータデバイス（２）により運動が周期的に生成されること
を特徴とする、請求項１に記載の方法。
【請求項１３】
前記アーム（２０）は、前記外側終端カーブ（１７）より高い剛性を有するよう選択されることを特徴とする、請求項１２に記載の方法。
【請求項１４】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；及び
前記ヒゲゼンマイ（４）の前記外側終端カーブ（１７）近傍に別のコイル（２３）が位置決めされ、前記別のコイル（２３）は、前記レギュレータデバイス（２）によって操作される支持体（２４）によって第１の端部を保持され、前記支持体（２４）への前記レギュレータデバイス（２）の作用下において前記外側終端カーブ（１７）に周期的に接触するよう配設された第２の端部（２５）は自由であること
を特徴とする、請求項１に記載の方法。
【請求項１５】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記ヒゲゼンマイ（４）は、隔離要素（４３）によって分離された少なくとも２つの伝導性ストリップ（４１；４２）で作製されること；並びに
前記レギュレータデバイス（２）は、前記ストリップ（４１；４２）に電場及び／又は磁場を周期的に印加することによって、前記２つのストリップ（４１；４２）の間の距離（Ｅ１；Ｅ２）を修正することにより、前記ヒゲゼンマイ（４）の総断面積及び剛性を修正するために使用されること
を特徴とする、請求項１に記載の方法。
【請求項１６】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記ヒゲゼンマイ（４）は、絶縁要素（４３）によって分離された少なくとも２つの伝導性ストリップ（４１；４２）で作製されること；並びに
前記レギュレータデバイス（２）は、前記２つのストリップ（４１；４２）を異なる電場及び／又は磁場に周期的に曝露することによって、前記ヒゲゼンマイ（４）を局所的に極性化し、前記ヒゲゼンマイ（４）の剛性を局所的に修正するために使用されること
を特徴とする、請求項１に記載の方法。
【請求項１７】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；及び
周上に磁石（２９）を有する回転ホイールセット（２８）を備える前記レギュレータデバイス（２）を使用し、前記磁石（２９）の磁場は、前記ヒゲゼンマイ（４）の前記外側終端カーブ（１７）上に配置された少なくとも１つの磁石（４５）と周期的に協働して、前記ヒゲゼンマイ（４）の剛性を周期的に修正すること
を特徴とする、請求項１に記載の方法。
【請求項１８】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；及び
周上にエレクトレットを備える回転ホイールセット（２８）を備えるレギュレータデバイス（２）を使用し、前記エレクトレットの電場は、前記ヒゲゼンマイ（４）の前記外側終端カーブ（１７）上に配置された少なくとも１つのエレクトレットと周期的に協働して、前記ヒゲゼンマイ（４）の剛性を周期的に修正すること
を特徴とする、請求項１に記載の方法。
【請求項１９】
前記方法は、ゼンマイ‐テンプ組立体（３）に適用され、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；及び
不均一に磁化された回転ホイールセット（２８）を備える前記レギュレータデバイス（２）を使用して、前記ヒゲゼンマイ（４）の剛性を周期的に修正すること
を特徴とする、請求項１に記載の方法。
【請求項２０】
前記方法は、少なくとも１つの前記捩り針金（４６）を含む少なくとも１つの前記弾性復元手段（４０）を備える前記共振器機構（１）に適用されること；及び
少なくとも１つの前記レギュレータデバイス（２）は、前記捩り針金（４６）の張力を周期的に変調することにより、前記弾性復元手段（４０）の剛性の周期的変動を制御することによって作用するよう作製されること
を特徴とする、請求項１に記載の方法。
【請求項２１】
少なくとも１つの前記レギュレータデバイス（２）は、少なくとも１つの前記弾性復元手段（４０）の少なくとも１つの要素に電場及び／又は磁場を周期的に印加することによって、前記弾性復元手段（４０）の剛性を修正するように作用するよう作製されることを特徴とする、請求項１に記載の方法。
【請求項２２】
前記周期的運動は、前記共振器機構（１）が備える前記弾性復元手段の剛性の変調及び前記共振器機構（１）のアンバランスの慣性の変調の両方を行うことにより、前記共振器機構（１）の前記共振周波数の周期的変調を行うことを特徴とする、請求項１に記載の方法。
【請求項２３】
前記周期的運動は、前記共振器機構（１）の剛性の変調及び前記共振器機構（１）の静止点の変調の両方を行うことにより、前記共振器機構（１）の前記共振周波数の周期的変調を行うことを特徴とする、請求項１に記載の方法。
【請求項２４】
前記調節周波数（ωＲ）は、前記固有周波数（ω０）の２倍であることを特徴とする、請求項１に記載の方法。
【請求項２５】
前記共振器機構（１）の剛性の実部の変調の相対振幅は、前記共振器機構（１）の品質係数の逆数の２倍超であることを特徴とする、請求項１に記載の方法。
【請求項２６】
少なくとも１つの前記レギュレータデバイス（２）は、電場及び／又は磁場を周期的に印加するように作用するよう作製されることを特徴とする、請求項１に記載の方法。
【請求項２７】
固有周波数（ω０）で発振するよう考案された少なくとも１つの時計用共振器機構（１）を含む、時計ムーブメント（１０）であって、
前記時計用共振器機構（１）は、少なくとも１つのヒゲゼンマイ（４）又は捩り針金（４６）又は可撓性案内部材を含む少なくとも１つの弾性復元手段（４０）を備える、時計ムーブメント（１０）において、
前記時計ムーブメント（１０）は：
前記ムーブメント（１０）は、前記共振器（１）の前記固有周波数（ω０）の整数倍の値の０．９〜１．１倍（前記整数は２以上１０以下である）である調節周波数（ωＲ）によって、前記弾性復元手段（４０）の剛性における周期的変動を制御するよう配設される、少なくとも１つのレギュレータデバイス（２）を備えること；
前記レギュレータデバイス（２）は、前記共振器機構（１）の少なくとも１つの構成部品に周期的運動を与えることにより、前記構成部品に捩り力若しくは牽引力若しくは圧縮力を印加するよう、及び／又は前記共振器機構（１）の前記構成部品の位置に影響を与える少なくとも１つのツールに周期的運動を与えるよう、配設されること；並びに
少なくとも１つの前記レギュレータデバイス（２）は、少なくとも１つの前記弾性復元手段（４０）の断面積の変調、及び／又は少なくとも１つの前記弾性復元手段（４０）の弾性係数の変調、及び／又は少なくとも１つの前記弾性復元手段（４０）の形状の変調、及び／又は少なくとも１つの前記弾性復元手段（４０）の取り付け地点における応力の変調を行うよう配設されること
を特徴とする、時計ムーブメント（１０）。
【請求項２８】
前記時計用共振器機構（１）は、少なくとも１つのゼンマイ‐テンプ組立体（３）を備え、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記レギュレータデバイス（２）は、前記ヒゲゼンマイ（４）の剛性における周期的変動を制御すること；
前記共振器機構（１）は、少なくとも１つの第１の取り付け地点（１９）において前記ヒゲゼンマイ（４）に固定された追加のコイル（１８）を備え、前記追加のコイル（１８）は前記ヒゲゼンマイ（４）の外側終端カーブ（１７）を局所的に裏張りすること；並びに
前記レギュレータデバイス（２）は、前記外側終端カーブ（１７）に関しては前記ヒゲ持ち（５）に対して、また前記追加のコイル（１８）に関しては、前記追加のコイル（１８）の前記第１の取り付け地点（１９）と反対側の端部（１８Ａ）に対して作用することにより、前記外側終端カーブ（１７）及び前記追加のコイル（１８）上に反対方向に捩れを周期的に生成すること
を特徴とする、請求項２７に記載の時計ムーブメント（１０）。
【請求項２９】
前記追加のコイル（１８）は、前記外側終端カーブ（１７）と同一の可撓性を有するよう選択されることを特徴とする、請求項２８に記載のムーブメント（１０）。
【請求項３０】
前記追加のコイル（１８）は、前記外側終端カーブ（１７）より高い剛性を有するよう選択されることを特徴とする、請求項２８に記載のムーブメント（１０）。
【請求項３１】
前記時計用共振器機構（１）は、少なくとも１つのゼンマイ‐テンプ組立体（３）を備え、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記レギュレータデバイス（２）は、前記ヒゲゼンマイ（４）の剛性における周期的変動を制御すること；
前記共振器機構（１）は、少なくとも１つの第１の取り付け地点（１９）において前記ヒゲゼンマイ（４）に固定された追加のコイル（１８）を備え、前記追加のコイル（１８）は前記ヒゲゼンマイ（４）の外側終端カーブ（１７）を局所的に裏張りすること；並びに
前記レギュレータデバイス（２）は、前記追加のコイル（１８）の前記第１の取り付け地点（１９）と反対側の端部（１８Ａ）に対して、運動を周期的に生成すること
を特徴とする、請求項２７に記載の時計ムーブメント（１０）。
【請求項３２】
前記追加のコイル（１８）は、前記外側終端カーブ（１７）と同一の可撓性を有するよう選択されることを特徴とする、請求項３１に記載のムーブメント（１０）。
【請求項３３】
前記追加のコイル（１８）は、前記外側終端カーブ（１７）より高い剛性を有するよう選択されることを特徴とする、請求項３１に記載のムーブメント（１０）。
【請求項３４】
前記時計用共振器機構（１）は、少なくとも１つのゼンマイ‐テンプ組立体（３）を備え、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記レギュレータデバイス（２）は、前記ヒゲゼンマイ（４）の剛性における周期的変動を制御すること；
前記共振器機構（１）は、少なくとも１つの第２の取り付け地点（２１）において前記ヒゲゼンマイ（４）の前記外側終端カーブ（１７）に固定されたアーム（２０）を含むこと；及び
前記レギュレータデバイス（２）は、前記アーム（２０）の前記第２の取り付け地点（２１）と反対側の端部（２２）に対して、運動を周期的に生成すること
を特徴とする、請求項２７に記載の時計ムーブメント（１０）。
【請求項３５】
前記アーム（２０）は、前記外側終端カーブ（１７）より高い剛性を有するよう選択されることを特徴とする、請求項３４に記載のムーブメント（１０）。
【請求項３６】
前記時計用共振器機構（１）は、少なくとも１つのゼンマイ‐テンプ組立体（３）を備え、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記レギュレータデバイス（２）は、前記ヒゲゼンマイ（４）の剛性における周期的変動を制御すること；
前記共振器機構（１）は、前記ヒゲゼンマイ（４）の前記外側終端カーブ（１７）近傍に別のコイル（２３）を含み、前記別のコイル（２３）は、前記レギュレータデバイス（２）によって操作される支持体（２４）によって第１の端部を保持され、前記支持体（２４）への前記レギュレータデバイス（２）の作用下において前記外側終端カーブ（１７）に周期的に接触するよう配設された第２の端部（２５）は自由であること
を特徴とする、請求項２７に記載の時計ムーブメント（１０）。
【請求項３７】
前記時計用共振器機構（１）は、少なくとも１つのゼンマイ‐テンプ組立体（３）を備え、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記レギュレータデバイス（２）は、前記ヒゲゼンマイ（４）の剛性における周期的変動を制御すること；
前記ヒゲゼンマイ（４）は、隔離要素（４３）によって分離された少なくとも２つの伝導性ストリップ（４１；４２）で作製されること；並びに
前記レギュレータデバイス（２）は、前記ストリップ（４１；４２）に電場及び／又は磁場を周期的に印加することによって、前記２つのストリップ（４１；４２）の間の距離（Ｅ１；Ｅ２）を修正することにより、前記ヒゲゼンマイ（４）の総断面積及び剛性を修正するよう配設されること
を特徴とする、請求項２７に記載の時計ムーブメント（１０）。
【請求項３８】
前記時計用共振器機構（１）は、少なくとも１つのゼンマイ‐テンプ組立体（３）を備え、前記ゼンマイ−テンプ組立体（３）のヒゲゼンマイ（４）は前記弾性復元手段（４０）を形成し、その第１の外側端部（６）をヒゲ持ち（５）に、第２の内側端部（８）をヒゲ玉（７）に保持されること；
前記レギュレータデバイス（２）は、前記ヒゲゼンマイ（４）の剛性における周期的変動を制御すること；及び
前記レギュレータデバイス（２）は、周上に磁石（２９）を有する回転ホイールセット（２８）を備え、前記磁石（２９）の磁場は、前記ヒゲゼンマイ（４）の前記外側終端カーブ（１７）上に配置された少なくとも１つの磁石（４５）と周期的に協働して、前記ヒゲゼンマイ（４）の剛性を周期的に修正すること
を特徴とする、請求項２７に記載の時計ムーブメント（１０）。
【請求項３９】
前記レギュレータデバイス（２）の前記調節周波数（ωＲ）は、前記共振器機構（１）の前記固有周波数（ω０）の２倍であることを特徴とする、請求項２７に記載のムーブメント（１０）。
【請求項４０】
請求項２７に記載のムーブメントを少なくとも１つ含む、時計（３０）であって、
前記時計は腕時計であることを特徴とする、時計（３０）。
【発明の詳細な説明】
【技術分野】
【０００１】
本発明は、時計用共振器機構の周波数をその固有周波数付近に維持及び調節する方法に関し、上記機構は、少なくとも１つのヒゲゼンマイ又は捩り針金又は可撓性案内部材を含む弾性復元手段を含み、周期的運動によって上記共振器機構に作用する少なくとも１つのレギュレータデバイスが実装される。
【０００２】
本発明はまた、固有周波数で発振するよう考案された少なくとも１つの時計用共振器機構を含む時計ムーブメントにも関し、上記時計用共振器機構は、少なくとも１つのヒゲゼンマイ又は捩り針金又は可撓性案内部材を備える少なくとも１つの弾性復元手段を含む。
【０００３】
本発明はまた、少なくとも１つのこのような時計ムーブメントを含む時計、より具体的には腕時計にも関する。
【０００４】
本発明は、機械式腕時計製作におけるタイムベース、特にゼンマイ‐テンプ共振器に基づいたタイムベースの分野に関する。
【背景技術】
【０００５】
時計のタイムベースの性能の向上に対する模索は不変の関心事である。機械式腕時計の時間測定性能に対する有意な制約は従来のインパルス脱進機の使用によるものであり、いずれの脱進機の解決策も、このタイプの干渉を回避できない。
【０００６】
同一の出願人による特許文献１は、第１の低周波共振器（例えばおよそ数ヘルツ）及び第２の高周波共振器（例えば約１キロヘルツ）を含む結合式共振器を開示している。この発明は、第１の共振器及び第２の共振器が恒久的な機械的結合手段を含み、上記結合により、外部干渉を受けた場合、例えば衝撃を受けた場合に周波数を安定させることを可能とすることを特徴とする。
【０００７】
ＰＡＴＥＫ  ＰＨＩＬＩＰＰＥ  ＳＡによる特許文献２は、ヒゲゼンマイによって機械的に維持される発振テンプと、テンプを同期するための固定の部材に磁気結合された振動部材とを含む、時計ムーブメントを調節するための可動組立体を開示している。テンプ及び振動部材は、振動及び同時に発振する同じ単一の、可動要素で形成される。振動部材の振動周波数は、テンプの発振周波数の整数倍である。
【先行技術文献】
【特許文献】
【０００８】
【特許文献１】欧州特許第１８４３２２７Ａ１号
【特許文献２】スイス特許第６１５３１４Ａ３号
【発明の概要】
【発明が解決しようとする課題】
【０００９】
本発明は、可能な限り精密であるタイムベースを製造することを提案する。
【課題を解決するための手段】
【００１０】
この目的のために、本発明は、時計用共振器機構の周波数をその固有周波数付近に維持及び調節するための方法に関し、上記機構は、少なくとも１つのヒゲゼンマイ又は捩り針金又は可撓性案内部材を含む少なくとも１つの弾性復元手段を含み、周期的運動によって上記共振器機構に作用する少なくとも１つのレギュレータデバイスが実装される。本方法は、上記固有周波数の整数倍の値の０．９〜１．１倍（上記整数は２以上１０以下である）である調節周波数によって、少なくとも１つの上記弾性復元手段の剛性の実部及び／又は虚部における周期的変動を制御することにより、上記周期的運動が周期的な変調を行うことを特徴とする。
【００１１】
本発明の特徴によると、上記周期的運動は、少なくとも１つの上記弾性復元手段の断面積の変調、及び／又は少なくとも１つの上記弾性復元手段の弾性係数の変調、及び／又は少なくとも１つの上記弾性復元手段の形状の変調、及び／又は少なくとも１つの上記弾性復元手段の取り付け地点における応力の変調を行うことにより、上記共振器機構の共振周波数の周期的変調を行う。
【００１２】
本発明の特徴によると、上記共振器機構の少なくとも１つの構成部品に対して、又は上記共振器機構の上記構成部品の位置に影響を与えるツールに対して周期的運動を与える、少なくとも１つの上記レギュレータデバイスを実装する。上記周期的運動は、少なくとも１つのヒゲゼンマイ又は捩り針金又は可撓性案内部材を含む少なくとも１つの弾性復元手段を備える上記共振器機構に対して与えられ、少なくとも１つの上記レギュレータデバイスは、断面積及び／又は弾性係数の及び／又は形状及び／又は取り付け地点における応力を変調することによって上記弾性復元手段の剛性における周期的変動を制御することにより作用するよう作製される。
【００１３】
本発明はまた、固有周波数で発振するよう考案された少なくとも１つの時計用共振器機構を含む時計ムーブメントにも関し、上記時計用共振器機構は、少なくとも１つのヒゲゼンマイ又は捩り針金又は可撓性案内部材を備える少なくとも１つの弾性復元手段を含む。上記時計ムーブメントは：上記ムーブメントが、上記共振器の上記固有周波数の整数倍の値の０．９〜１．１倍（上記整数は２以上１０以下である）である調節周波数によって、上記弾性復元手段の剛性における周期的変動を制御するよう配設される、少なくとも１つのレギュレータデバイスを備えること；上記レギュレータデバイスが、上記共振器機構の少なくとも１つの構成部品に周期的運動を与えることにより、上記構成部品に捩り力若しくは牽引力若しくは圧縮力を印加するよう、及び／又は上記共振器機構の上記構成部品の位置に影響を与える少なくとも１つのツールに周期的運動を与えるよう、配設されること；並びに少なくとも１つの上記レギュレータデバイスが、少なくとも１つの上記弾性復元手段の断面積の変調、及び／若しくは少なくとも１つの上記弾性復元手段の弾性係数の変調、及び／若しくは少なくとも１つの上記弾性復元手段の形状の変調、及び／若しくは少なくとも１つの上記弾性復元手段の取り付け地点における応力の変調を行うよう配設されることを特徴とする。
【００１４】
本発明はまた、少なくとも１つのこのような時計ムーブメントを含む時計、より具体的には腕時計にも関する。
【００１５】
本発明の他の特徴及び利点は、添付の図面を参照しながら以下の詳細な説明を読むことにより、明らかになるであろう。
【図面の簡単な説明】
【００１６】
【図１】図１は、長さを変動させることができるよう作製された振り子の概略図である。
【図２】図２は、互いに対して取り付けられた２つのゼンマイ−テンプを有する音叉の概略図である。
【図３】図３は、ヒゲゼンマイに固定された、ヒゲゼンマイの外側終端カーブを局所的に裏張りする追加のコイルと、外側終端カーブ及び上記追加のコイルにおいて反対方向の捩れを生成するためのレギュレータデバイスとを有するゼンマイ−テンプ組立体の、ヒゲゼンマイの部分概略図である。
【図４】図４は、追加のコイル及び上記追加のコイルの一方の端部を作動させるレギュレータデバイスを、図３と同様の様式で示す。
【図５】図５は、アームが取り付けられたヒゲゼンマイ、及び上記アームの一方の端部を作動させるレギュレータデバイスを示す。
【図６】図６は、外側終端カーブの近傍に別のコイルを有するヒゲゼンマイを示し、この別のコイルは、レギュレータデバイスによって操作される支持体によって第１の端部を保持され、上記支持体へのレギュレータデバイスの作用下において外側終端カーブに周期的に接触するよう配設された第２の端部は自由である。
【図７】図７は、隔離要素によって分離された２つの伝導性ストリップを備えるヒゲゼンマイを示す。図７Ａは、印加される電場に応じたヒゲゼンマイの断面図を示す。図７Ｂは、印加される電場に応じた、図７Ａとは異なるヒゲゼンマイの断面図を示す。
【図８】図８は、周上に磁石を有する回転ホイールセットを備えるレギュレータデバイスを示し、上記磁石の磁場は、ヒゲゼンマイの外側終端カーブ上に配置された磁石と周期的に協働する。
【図９】図９は、捩り針金を保持するヒゲ玉を含むテンプを備える共振器機構を示し、この共振器機構は張力の周期的変動を制御する。
【図１０】図１０は、本発明によって調節される共振器機構を有する機械式ムーブメントを含む腕時計のブロック図である。
【発明を実施するための形態】
【００１７】
本発明の目的は、機械式時計、特に機械式腕時計を可能な限り精密に作製するためのタイムベースを製造することである。
【００１８】
上記目的を達成する１つの方法は、直接的に又は脱進機を介して、異なる共振器を連携させることからなる。
【００１９】
脱進機機構に関連する不安定性の因子を克服するために、パラメトリック共振器システムにより、脱進機の影響を低減し、これによって腕時計をより精密なものとすることができる。
【００２０】
本発明によると、パラメトリック発振器は、発振を維持するために、発振器のパラメータのうちの１つを、調節すべき発振器システムの固有周波数の整数倍の値の０．９〜１．１倍である調節周波数ωＲによって変動させることからなる、パラメトリックな作動を利用し、上記整数は２以上１０以下である。この調節周波数ωＲは好ましくは、固有周波数ω０の整数倍（特に２倍）である。
【００２１】
慣例により、そしてこれらを明確に区別するために、「レギュレータ（ｒｅｇｕｌａｔｏｒ）」２はここでは発振器を指し、ここでは「共振器（ｒｅｓｏｎａｔｏｒ）」１と呼ばれる他方の維持されるシステムの周波数を維持及び調節するために使用される。
【００２２】
次元１のパラメトリック共振器のラグランジアンＬは：
【００２３】
【数１】
0005997305.tif 000002
【００２４】
ここでＴは運動エネルギ、Ｖはポテンシャルエネルギであり、上記共振器の慣性Ｉ（ｔ）、剛性ｋ（ｔ）及び静止位置ｘ0（ｔ）は時間の周期関数であり、ｘは共振器の一般化座標である。
【００２５】
強制及び減衰パラメトリック共振器の方程式は、ラグランジアンＬに関するラグランジュ方程式によって、強制関数ｆ（ｔ）及び散逸機構を考慮したランジュバンの力（Ｌａｎｇｅｖｉｎ  ｆｏｒｃｅ）：
【００２６】
【数２】
0005997305.tif 000003
【００２７】
を加えることにより得られ、ここでｘにおける一次導関数の係数は：
【００２８】
【数３】
0005997305.tif 000004
【００２９】
であり、β（ｔ）＞０は損失を表す項であり、ここでゼロ次項の係数は共振周波数
【００３０】
【数４】
0005997305.tif 000005
【００３１】
に依存する。
【００３２】
関数ｆ（ｔ）は非強制発振器の場合、値０をとる。
【００３３】
この関数ｆ（ｔ）も周期関数であるか、又はディラックのインパルス表現関数である。
【００３４】
本発明は、維持用又はレギュレータ発振器の作用によって、調節すべき発振器システムの固有周波数ω０の整数倍の値の０．９〜１．１倍（上記整数は２以上、特に２である）である調節周波数ωＲを用いて剛性の実部及び／又は虚部を修正することにより、項β（ｔ）、ω（ｔ）のうちの一方又は他方又は全てを変動させることからなる。
【００３５】
特定の実施形態では、調節周波数ωＲは、調節すべき発振器システムの固有周波数ω０の整数倍、特に２倍である。
【００３６】
ある変形例では、静止位置ｘ0（ｔ）は、調節すべき発振器システムの固有周波数ω０の整数倍の値の０．９〜１．１倍（上記整数は２以上、特に２である）である調節周波数ωＲにより、パラメータβ（ｔ）、ω（ｔ）と同時に変動する。
【００３７】
好ましくは、全ての項β（ｔ）、ω（ｔ）、ｘ0（ｔ）は、好ましくは調節すべき共振器システムの固有周波数ω０の整数倍（特に２倍）である調節周波数ωＲによって変動する。
【００３８】
従って一般に、パラメトリック項の変調に加えて、維持又は調節に使用する発振器は、非パラメトリック維持項ｆ（ｔ）を導入し、非パラメトリック維持項ｆ（ｔ）の振幅はパラメトリックレジームが得られたら無視できる（Ｗ．Ｂ．Ｃａｓｅ，Ｔｈｅ  ｐｕｍｐｉｎｇ  ｏｆ  ａ  ｓｗｉｎｇ  ｆｒｏｍ  ｔｈｅ  ｓｔａｎｄｉｎｇ  ｐｏｓｉｔｉｏｎ，Ａｍ．Ｊ．Ｐｈｙｓ．６４，２１５（１９９６））。
【００３９】
変形例では、強制項ｆ（ｔ）は第２の維持機構によって導入され得る。
【００４０】
この方程式のパラメータは、周波数項ω及び摩擦損失項βである。発振器品質係数はＱ＝ω／βで定義される。
【００４１】
この現象のより良い理解のために、これを長さが変動する振り子に例えることができる。このような場合、
【００４２】
【数５】
0005997305.tif 000006
【００４３】
であり、ここでＬは振り子の長さ、ｇは重力の引力である。
【００４４】
この特定の例では、長さＬが、周波数２ω及び十分な変調振幅δＬ（δＬ／Ｌ＞２β／ω）によって、時間に関して周期的に変調された場合、システムはシステム自体を減衰させることなく周波数ωで発振する（Ｄ．Ｒｕｇａｒ及びＰ．Ｇｒｕｔｔｅｒ，Ｍｅｃｈａｎｉｃａｌ  ｐａｒａｍｅｔｒｉｃ  ａｍｐｌｉｆｉｃａｔｉｏｎ  ａｎｄ  ｔｈｅｒｍｏｍｅｃｈａｎｉｃａｌ  ｎｏｉｓｅ  ｓｑｕｅｅｚｉｎｇ，ＰＲＬ６７，６９９（１９９１）；Ａ．Ｈ．Ｎａｙｆｅｈ及びＤ．Ｔ．Ｍｏｏｋ，Ｎｏｎｌｉｎｅａｒ  Ｏｓｃｉｌｌａｔｉｏｎｓ，  Ｗｉｌｅｙ-Ｉｎｔｅｒｓｃｉｅｎｃｅ，（１９７７））。
【００４５】
この原理は、機械式ゼンマイ‐テンプ共振器（ヒゲゼンマイの一方の端部はテンプと一体であるヒゲ玉に固定され、他方の端部はヒゲ持ちに固定されている）を含む時計又は腕時計において使用できる。
【００４６】
このタイプのゼンマイ‐テンプシステムのパラメトリック維持は特に、周期的にヒゲ持ちを可動にすることにより達成できる。
【００４７】
発振を維持でき、システムの精度は明らかに向上する。
【００４８】
また、励振発振周波数（発振規則性を安定化させる必要があるシステムの周波数の２倍）の選択により、１回の完全な振動にわたる変調を実施すること、及びゼロ又は負減衰を得ることが可能となる。
【００４９】
このようなパラメトリック発振器システムの工業化は、２つの必須の機能：エネルギ供給及び計数と関係がある。
【００５０】
これらの２つの機能は、図２に示すように、互いに対して取り付けられた２つのゼンマイ‐テンプを有する音叉を用いて、分離してよい。ここで、周波数２ωで発振する一方のゼンマイ‐テンプは脱進機に関連し、周波数ωで発振する他方のゼンマイ‐テンプは計数機能に関連する。
【００５１】
周波数項を発振させるのではなく摩擦損失を修正するか、又はアンバランスを用いてテンプの慣性を修正することが好ましい場合がある。
【００５２】
効率を最大とするために、維持は有利には、維持される共振器周波数の整数倍の周波数、特に２倍の周波数によって実施される。機械的維持手段は様々な形態をとってよい。
【００５３】
本発明は、ヒゲゼンマイの剛性を変動させることからなる。
【００５４】
上記周波数の２倍における励起は、矩形波信号又はパルス波信号を用いて達成でき、正弦波による励起は不要である。
【００５５】
維持用レギュレータは極めて精密である必要はない：精度のいずれの欠如は振幅の損失のみをもたらし、周波数の変動は伴わない（当然、周波数が非常に変動しやすい場合はこれを回避すべきであり、例外である）。実際、これら２つの発振器、維持するレギュレータ及び維持される共振器は結合されないが、単一方向において一方が他方を維持する。
【００５６】
好ましい実施形態では、これら２つの発振器の間に連結用ゼンマイは存在しない。
【００５７】
本発明は他の公知の結合式発振器とは異なることは明白である：実際、本発明の実装は２つの発振器間のエネルギの伝達の可逆性を必要とせず、寧ろ可能な限り、一方の共振器から他方の共振器へと単一方向にエネルギを伝達する。
【００５８】
より具体的には、本発明は、弾性復元手段の剛性に対する作用による、時計用共振器の周波数調節に関する。
【００５９】
従って本発明は、時計用共振器機構１の周波数をその固有周波数ω０付近に調節する方法に関する。この方法は、共振器機構１の少なくとも１つの構成部品に対して、又は共振器機構１の上記構成部品の位置若しくは剛性に影響を与えるツールに対して周期的運動を与える、少なくとも１つのレギュレータデバイス２を実装する。
【００６０】
上記周期的運動は、上記固有周波数ω０の整数倍の値の０．９〜１．１倍である（上記整数は２以上１０未満である）調節周波数ωＲを用いて、少なくとも共振器機構１が備える弾性復元手段の剛性に作用することにより、少なくとも共振器機構１の共振周波数の周期的変調を行う。
【００６１】
本発明の特定の実装形態では、周期的運動は、共振器機構１の剛性の変調及び共振器機構１の慣性の変調により、共振器機構１の共振周波数の周期的変調を行う。
【００６２】
本発明の特定の実装形態では、周期的運動は、上記共振器機構１が備える弾性復元手段（限定するものではないが特にゼンマイ）の断面積の変調、及び／又は共振器機構１が備える弾性復元手段の弾性係数の変調、及び／又は上記共振器機構１が備える弾性復元手段の形状の変調を行うことにより、共振器機構１の共振周波数の周期的変調を行う。
【００６３】
特定の用途において、この周期的運動は、共振器機構１が備える弾性復元手段（特にゼンマイ）の有効長さの変調も行うことによる、共振器機構１の共振周波数の周期的変調も必要とする場合がある。
【００６４】
本発明の特定の実装形態では、周期的運動は、共振器機構１の剛性の変調及び共振器機構１の静止点の変調の両方を行うことにより、共振器機構１の共振周波数の周期的変調を行う。
【００６５】
図示した特定の用途において、共振器機構１の少なくとも１つの構成部品に対して、又は共振器機構１の上記構成部品の位置に影響を与えるツールに対して周期的運動を与える、少なくとも１つの上記レギュレータデバイス２を実装する。この周期的運動は、少なくとも１つのヒゲゼンマイ４又は捩り針金４６又は特に仮想ピボットを有する可撓性かつ弾性の案内部材（微細機械加工可能な材料用の技術、「ＭＥＭＳ」、「ＬＩＧＡ」等を用いて単一部品として作製された、バタフライ案内部材、若しくは４つのカラー、可撓性ストリップ若しくは交差ストリップのセットを有するＲＣＣ案内部材等）を備える少なくとも１つの弾性復元手段４０を備える共振器機構１に対して与えられ、少なくとも１つの上記レギュレータデバイス２は、断面積及び／又は弾性係数の及び／又は形状及び／又は取り付け地点における応力を変調することによって弾性復元手段４０の剛性の周期的変動を制御することにより作用するよう作製される。
【００６６】
形状の変調はここでは、外部応力の影響下での、弾性復元手段の自由形状に対する変形を指し、例えばヒゲゼンマイがその収縮及び延展中に示す、動作時の通常の変形を指すものではない。上記変調は例えば、接触によって、空気力学的摩擦によって、磁力若しくは静電気力由来等の非接触力によって、又はその他の手段によって誘発される変形である。
【００６７】
当然のことながら、ここで考察する弾性復元手段４０は、共振器機構１の発振周波数を保証するために使用される手段である。
【００６８】
本発明の好ましい応用例は腕時計に関し、より具体的には、弾性復元手段４０が捩り針金で形成された応用例に関する。
【００６９】
本発明によると、本方法は、少なくとも１つのヒゲゼンマイ４又は捩り針金４６又は可撓性案内部材４６を含む少なくとも１つの弾性復元手段４０を備える共振器機構１に適用され、少なくとも１つのレギュレータデバイス２は、弾性復元手段４０の剛性の実部及び／又は虚部における周期的変動を制御することにより作用するよう作製され、上記剛性の実部は共振器機構１の周波数を画定し、上記剛性の虚部は共振器機構１の品質係数を画定する。
【００７０】
図３〜８に示す変形例（図が過密になるのを回避するため、テンプは図示されていない）では、本方法をゼンマイ−テンプ組立体３に適用し、このゼンマイ−テンプ組立体３のヒゲゼンマイ４は弾性復元手段４０を形成し、その第１の外側端部６をヒゲ持ち５に、第２の内側端部８をヒゲ玉７に保持され、少なくとも１つのレギュレータデバイス２は、ヒゲゼンマイ４の剛性の実部及び／又は虚部の周期的変動を制御することにより作用するよう作製される。
【００７１】
図３の変形例では、ヒゲゼンマイ４の外側終端カーブ１７は、少なくとも１つの第１の取り付け地点１９においてヒゲゼンマイ４に固定された追加のコイル１８により局所的に裏張りされ、外側終端カーブ１７に関してはヒゲ持ち５に対して、また追加のコイル１８に関しては、追加のコイル１８の第１の取り付け地点１９と反対側の端部１８Ａに対してレギュレータデバイス２が作用することにより、外側終端カーブ１７及び追加のコイル１８上に反対方向に捩れが周期的に生成される。この二重の捩れは、ヒゲゼンマイの位置をその平面内で修正することなく、ヒゲゼンマイの剛性を修正できるという利点を有する。
【００７２】
図４の変形例では、ヒゲゼンマイ４の外側終端カーブ１７は、少なくとも１つの第１の取り付け地点１９においてヒゲゼンマイ４に固定された追加のコイル１８により局所的に裏張りされ、追加のコイル１８の第１の取り付け地点１９と反対側の端部１８Ａに対して、レギュレータデバイス２により運動が周期的に生成される。従ってこれにより、外側終端カーブの剛性及びこれに伴ってヒゲゼンマイの剛性が修正される。レギュレータデバイスを使用してヒゲ持ち５及び端部１８Ａを移動させることもできる。
【００７３】
追加のコイル１８に特定の剛性を付与でき、また特に：
−追加のコイル１８を、外側終端カーブ１７と同一の可撓性を有するよう選択する；又は
−追加のコイル１８を、外側終端カーブ１７より高い剛性を有するよう選択する。
【００７４】
図５の変形例では、アーム２０は少なくとも１つの第２の取り付け地点２１においてヒゲゼンマイ４の外側終端カーブ１７に固定され、アーム２０の第２の取り付け地点２１と反対側の端部２２に対して、レギュレータデバイス２により運動が周期的に生成される。特定の変形例では、アーム２０は外側終端カーブ１７より高い剛性を有するよう選択される。
【００７５】
図６の変形例では、ヒゲゼンマイ４の外側終端カーブ１７近傍に別のコイル２３が位置決めされ、この別のコイル２３は、共振器機構１の静止状態においては弾性復元手段４０から完全に独立しており、かつ弾性復元手段４０から離間しており、またこの別のコイル２３は、レギュレータデバイス２によって操作される支持体２４によって第１の端部を保持され、支持体２４へのレギュレータデバイス２の作用下において外側終端カーブ１７に周期的に接触するよう配設された第２の端部２５は自由である。上記別の湾曲したコイル２３は、ヒゲゼンマイ４に周期的に接近し、場合によっては接着して、この弾性復元手段の剛性を修正する。
【００７６】
図７の変形例では、ヒゲゼンマイ４は、隔離要素４３によって分離された２つの伝導性ストリップ４１、４２で作製され、レギュレータデバイス２は、これら２つのストリップ４１、４２に場を周期的に印加することによって、これら２つのストリップ４１、４２の間の距離Ｅ１（図７Ａ）又はＥ２（図７Ｂ）を修正することにより、ヒゲゼンマイ４の総断面積及び剛性を修正するために使用される。ある変形例では、これら２つのストリップ４１、４２には異なる場が周期的に印加される。
【００７７】
特に、２つのストリップ４１、４２は、各ストリップの直近に位置する強磁性の又は磁化された又は静電誘導性の又は帯電している極片（特に磁石又はエレクトレット）に対して与えられる運動により、異なる電磁場及び／又は静電場及び／又は静磁場に曝され、これにより、電力又は磁力又は静電力又は静磁力がこれらストリップの間に生成され、ストリップは互いに向かって又は互いから離間するように移動する。ヒゲゼンマイ４の剛性は、その断面積の変動により修正される。上記運動は好ましくは、上記極片に対して機械的に与えられる。
【００７８】
ある変形例では、２つのストリップ４１、４２は、ヒゲゼンマイ４を局所的に極性化してその剛性を局所的に修正するために、電場又は静電場に曝される。
【００７９】
図８の変形例は、周上に磁石２９を有する回転ホイールセット２８を含むこのタイプのレギュレータデバイス２を使用し、上記磁石２９の磁場は、ヒゲゼンマイ４上に配置された少なくとも１つの磁石４５（この磁石はヒゲ玉側に配置してよい）と周期的に協働して、ヒゲゼンマイ４の剛性を周期的に修正する。ヒゲゼンマイの予備応力及び計数地点の径方向位置も周期的に修正される。
【００８０】
別の変形例は、不均一に磁化された回転ホイールセット２８を使用して、磁歪現象によってヒゲゼンマイ４の剛性を周期的に修正する。
【００８１】
静電力を利用する変形例は、今度は周上にエレクトレットを備える回転ホイールセット２８を備えるこのタイプのレギュレータデバイス２を使用し、上記エレクトレットの電場は、ヒゲゼンマイ４の外側終端カーブ１７上に配置された少なくとも１つのエレクトレットと協働して、圧電現象によってヒゲゼンマイ４の剛性を周期的に修正する。
【００８２】
更に別の変形例では、温度変化によって剛性を修正する。
【００８３】
上述の全ての変形例に有効である本方法の有利な実装形態では、調節周波数ωＲは固有周波数ω０の２倍である。
【００８４】
本方法の有利な実装形態では、共振器機構１の剛性の実部の変調の相対振幅は、共振器機構１の品質係数の逆数の２倍超である。
【００８５】
本発明はまた、固有周波数ω０で発振するよう考案された少なくとも１つの時計用共振器機構１を含む時計ムーブメント１０にも関し、この時計用共振器機構１は、少なくとも１つのヒゲゼンマイ４又は捩り針金４６又は可撓性案内部材を含む少なくとも１つの弾性復元手段４０を備える。本発明によると、このムーブメント１０は、共振器１の固有周波数ω０の整数倍の値の０．９〜１．１倍（上記整数は２以上１０以下である）である調節周波数ωＲによって、弾性復元手段４０の剛性の周期的変動を制御する、少なくとも１つのレギュレータデバイス２を備える。
【００８６】
図３〜８に示す変形例では、時計用共振器機構１は少なくとも１つのゼンマイ−テンプ組立体３を備え、このゼンマイ−テンプ組立体３のヒゲゼンマイ４は弾性復元手段４０を形成し、その第１の外側端部６をヒゲ持ち５に、第２の内側端部８をヒゲ玉７に保持され、レギュレータデバイス２はヒゲゼンマイ４の剛性の周期的変動を制御する。
【００８７】
図３の変形例では、ムーブメント１０は追加のコイル１８を含み、この追加のコイル１８は、少なくとも１つの第１の取り付け地点１９においてヒゲゼンマイ４に固定され、またヒゲゼンマイ４の外側終端カーブ１７を局所的に裏張りする。レギュレータデバイス２は、外側終端カーブ１７に関してはヒゲ持ち５に対して、また追加のコイル１８に関しては、追加のコイル１８の第１の取り付け地点１９と反対側の端部１８Ａに対して作用することにより、外側終端カーブ１７及び追加のコイル１８上に反対方向に捩れを周期的に生成する。
【００８８】
図４の変形例では、ムーブメント１０は追加のコイル１８を含み、この追加のコイル１８は、少なくとも１つの第１の取り付け地点１９においてヒゲゼンマイ４に固定され、またヒゲゼンマイ４の外側終端カーブ１７を局所的に裏張りする。レギュレータデバイス２は、追加のコイル１８の第１の取り付け地点１９と反対側の端部１８Ａに対して、運動を周期的に生成する。
【００８９】
追加のコイル１８は、外側終端カーブ１７と同一の可撓性を有するか、又は外側終端カーブ１７より遥かに高い剛性を有する。
【００９０】
図５の変形例では、ムーブメント１０はアーム２０を含み、このアーム２０は少なくとも１つの第２の取り付け地点２１においてヒゲゼンマイ４の外側終端カーブ１７に固定され、レギュレータデバイス２は、アーム２０の第２の取り付け地点２１と反対側の端部２２に対して、運動を周期的に生成する。
【００９１】
特定の実施形態では、アーム２０は外側終端カーブ１７より高い剛性を有する。
【００９２】
図６の変形例では、ムーブメント１０は、ヒゲゼンマイ４の外側終端カーブ１７近傍に別のコイル２３を含み、この別のコイル２３は、レギュレータデバイス２によって操作される支持体２４によって第１の端部を保持され、支持体２４へのレギュレータデバイス２の作用下において外側終端カーブ１７に周期的に接触するよう配設された第２の端部２５は自由である。
【００９３】
図７の変形例では、ヒゲゼンマイ４は、隔離要素４３によって分離された２つの伝導性ストリップ４１、４２を含み、レギュレータデバイス２は、これら２つのストリップ４１、４２を（上述の「場」の定義の広い意味において）電場及び／又は磁場に周期的に曝露することによって、これら２つのストリップ４１、４２の間の距離Ｅ１、Ｅ２を修正することにより、ヒゲゼンマイ４の総断面積及び剛性を修正するよう配設される。特にレギュレータデバイス２は、これら２つのストリップ４１、４２を異なる電場に周期的に曝露するよう配設される。
【００９４】
図８の変形例では、レギュレータデバイス２は、周上に磁石２９を有する回転ホイールセット２８を含み、上記磁石２９の磁場は、ヒゲゼンマイ４の外側終端カーブ１７上に配置された少なくとも１つの磁石４５と周期的に協働して、ヒゲゼンマイ４の剛性を周期的に修正する。
【００９５】
図９の変形例では、共振器機構１は、弾性復元手段４０を形成する捩り針金４６を保持するヒゲ玉７を備える少なくとも１つのテンプ２６を含み、レギュレータデバイス２は、捩り針金４６の張力における周期的変動を制御する。
【００９６】
更に別の変形例では、小型電子モジュールによって起動される圧電層でゼンマイ又はヒゲゼンマイを部分的に又は完全に被覆することによって、ゼンマイ又はヒゲゼンマイの剛性を変動させるために、静電層又は要素を実装してもよい。
【００９７】
好ましくは、レギュレータデバイス２の調節周波数ωＲは共振器機構１の固有周波数ω０の２倍である。
【００９８】
本発明はまた、少なくとも１つのこのような時計ムーブメント１０を含む時計、より具体的には腕時計３０にも関する。
【符号の説明】
【００９９】
１      時計用共振器機構
２      レギュレータデバイス
３      ゼンマイ‐テンプ組立体
４      ヒゲゼンマイ  
５      ヒゲ持ち
６      弾性復元手段の第１の外側端部
７      ヒゲ玉
８      弾性復元手段の第２の内側端部
１０    時計ムーブメント
１７    外側終端カーブ
１８    追加のコイル
１８Ａ  第１の取り付け地点と反対側の端部
１９    追加のコイルの第１の取り付け地点
２０    アーム
２１    アームの第２の取り付け地点
２２    第２の取り付け地点と反対側の端部
２３    別のコイル
２４    支持体
２５    第２の端部
２８    回転ホイールセット
２９    磁石
３０    時計
４０    弾性復元手段
４１；４２  伝導性ストリップ
４３    隔離要素
４５    磁石
４６    捩り針金
Ｅ１；Ｅ２  ２つのストリップの間の距離
ω０    固有周波数
ωＲ    調節周波数
【図１】
0005997305.tif 000007
【図２】
0005997305.tif 000008
【図３】
0005997305.tif 000009
【図４】
0005997305.tif 000010
【図５】
0005997305.tif 000011
【図６】
0005997305.tif 000012
【図７】
0005997305.tif 000013
【図８】
0005997305.tif 000014
【図９】
0005997305.tif 000015
【図１０】
0005997305.tif 000016